(57)【要約】【課題】構造が簡易で容易に装着することができると共に、被取付部材が動いた際に、その動きに連動することができる鳥類止り防止装置を提供する。【解決手段】所定幅で長く延びた線状物（被取付部材）Ｓに取り付けられて、鳥類が線状物Ｓに止ることを防止する鳥類止り防止装置１０であって、線状物Ｓの直径（幅）Ｄ１よりも十分に細い直径Ｄ３の線材本体２１が、線状物Ｓの直径Ｄ１よりも大きい直径Ｄ２のコイル状に捲回されたコイル２０と、このコイル２０を線状物Ｓの上側に固定する固定部材３０とを備えており、コイル２０を線状物の軸線（延在方向）Ｏに沿って伸縮可能になる状態で取り付けた。【選択図】  図２
2004173639.tif 000002
【特許請求の範囲】
【請求項１】
被取付部材に取り付けられて、鳥類が前記被取付部材に止ることを防止する鳥類止り防止装置であって、
十分に細い直径の線材本体が前記被取付部材の幅と同等又はより大きい直径のコイル状に捲回されたコイルと、該コイルを前記線状物の上側に固定する固定部材とを備えており、前記コイルは前記線状物の延在方向に沿って伸縮可能になる状態で前記固定部材により取り付けられたことを特徴とする鳥類止り防止装置。
【請求項２】
請求項１に記載の鳥類止り防止装置において、前記コイルは所定間隔をおいて前記固定部材により少なくとも二箇所以上が前記被取付部材に固定されたことを特徴とする鳥類止り防止装置。
【請求項３】
請求項１又は請求項２に記載の鳥類止り防止装置において、前記コイルは絶縁性を有する材質によって形成されていることを特徴とする鳥類止り防止装置。
【発明の詳細な説明】
【０００１】
【発明の属する技術分野】
この発明は、例えば送配電線や屋内引込線等の電線類等の線状物、棒状の金具類、その他高架線上の工作物、ベランダの手摺等に取り付けて、鳥類が飛来して止まるのを防止する鳥類止り防止装置に関するものである。
【０００２】
【従来の技術】
一般に、鉄塔や電柱間に電線等の線状物を掛け渡した場合、飛来した鳥類がこの線状物に止り、線状物やその周囲が鳥類の排泄物で汚されたり、線状物の被覆が破損されたり、鳥類がくわえてきた鉄線などが隣接する電線間に接触して短絡事故が起きたりする鳥害が発生していた。
【０００３】
従来、被取付部材である線状物に鳥が止まった際に生じる鳥害を防ぐため、図３（ａ）に示す鳥類止り防止装置Ａ（例えば特許文献１参照）や、図３（ｂ）に示す鳥類止り防止装置Ｂ（例えば特許文献２参照）等が知られている。
【０００４】
鳥類止り防止装置Ａは、被取付部材である線状物Ｓの上側を複数の把持部２で把持して固定した円弧基体１に、上方に突出する多数の突刺３を設けたものである。また、鳥類止り防止装置Ｂは、鉛直方向に起立する複数の保持具４を一定の間隔で被取付部材である線状物Ｓに取り付け、線状物Ｓよりも細いバー５をこれら保持具４間に張設して線状物Ｓの上下位置にバー５を設けたものである。
【０００５】
【特許文献１】
特開平７−３９２９１号公報（第６〜８段落、第４図）
【特許文献２】
特開平６−１２１４３６号公報（第６、７段落、第４図）
【０００６】
【発明が解決しようとする課題】
ところで、上述ような多数の突刺３を有する鳥類止り防止装置Ａにあっては、円弧基体１を線状物Ｓに装着する際、突刺３が邪魔になって容易に装着をすることが困難であった。また、構造が複雑で製造コストがかかるという問題も生じていた。さらに、円弧基体１は線状物Ｓの上側にほぼ密着した状態で装着されるため、線状物Ｓが撓んだり、曲がったりした場合に把持部２が外れるおそれもあった。また、美観が損なわれるという問題も生じていた。
【０００７】
そして、線状物Ｓに装着した複数の保持具４間にバー５を張設する鳥類止り防止装置Ｂにあっては、多数の保持具４を一つずつ装着しなければならないので手間がかかり、作業者の作業負担が大きいという問題があった。また、バー５は定寸に形成されており、線状物Ｓが撓んだり、曲がったりしても変形できずに破損するおそれもあった。
【０００８】
そこで、この発明では、構造が簡易で容易に装着することができると共に、被取付部材が動いた際に、その動きに連動することができる鳥類止り防止装置を提供することを目的としている。
【０００９】
【課題を解決するための手段】
上記課題を解決するために、請求項１に係る鳥類止り防止装置は、被取付部材に取り付けられて、鳥類が取付部材に止まることを防止し、十分に細い直径の線材本体が被取付部材の幅と同等又はより大きい直径のコイル状に捲回されたコイルと、このコイルを線状物の上側に固定する固定部材とを備えており、コイルは線状物の延在方向に沿って伸縮可能になる状態で固定部材により取り付けられたことを特徴としている。
【００１０】
請求項１の発明によれば、鳥類が被取付部材上に飛来して止まろうとしても、この被取付部材に取り付けられたコイルが邪魔をして鳥が止まることを防止できる。そして、この鳥類止り防止装置は、線材本体がコイル状に捲回されたコイルを固定部材で取り付けるだけなので、非常に簡易な構造であると共に、容易に装着することができる。
【００１１】
また、コイルが被取付部材の延在方向に沿って伸縮可能にされているので、被取付部材が撓んだり曲がったりした場合であっても、線材本体は被取付部材の動きに連動して変形することができる。
【００１２】
請求項２に係る鳥類止り防止装置は、請求項１に記載の鳥類止り防止装置において、コイルは所定間隔をおいて固定部材により少なくとも二箇所以上が被取付部材に固定されたことを特徴としている。
【００１３】
請求項２の発明によれば、請求項１の効果に加え、コイルが全長に亘って固定されていないため、被取付部材から離れて自由な動きができる部分が生じ、さらに被取付部材の動きに連動しやすくなる。
【００１４】
請求項３に係る鳥類止り防止装置は、請求項１又は請求項２に記載の鳥類止り防止装置において、コイルが絶縁性を有する材質によって形成されていることを特徴としている。
【００１５】
請求項３の発明によれば、請求項１又は２の効果に加え、被取付部材が高圧送配電線等の電流が流れるものであっても、短絡や漏電することなく鳥類が飛来して止まることを防止できる。
【００１６】
【発明の実施の形態】
以下、この発明の実施の形態を図面に基づいて説明する。
【００１７】
図１に示す１０は鳥類止り防止装置であり、線材本体２１がコイル状に捲回されたコイル２０と、このコイル２０を被取付部材である線状物Ｓの上側に固定する固定部材３０とを備えている。そして、この鳥類止り防止装置１０は、コイル２０が固定部材３０によって線状物Ｓに取り付けられて形成されている。なお、コイル２０は線状物Ｓの延在方向である軸線Ｏに沿って伸縮可能になる状態に取り付けられていると共に、固定部材３０は所定間隔をおいてコイル２０の少なくとも二箇所以上を固定している。
【００１８】
ここにコイル２０は、図２に示すように、被取付部材の幅である線状物Ｓの直径Ｄ１よりも大きい直径Ｄ２を有すると共に、スパイラルピッチＰが一定のコイル状を呈している。なお、このコイル２０の直径Ｄ２は線状物Ｓの直径Ｄ１とほぼ同等であってもよい。
【００１９】
そして、このコイル２０の直径Ｄ２は、鳥類がコイル２０ごと線状物Ｓを掴みにくい大きさである。また、スパイラルピッチＰは線材本体２１の材質やコイル２０の直径Ｄ２に左右されるが、鳥類がスパイラルピッチＰの間から直接線状物Ｓを掴みにくい大きさである。
【００２０】
また、このスパイラルピッチＰを調節することによって鳥類止り防止装置１０の全長を容易に変更することができる。そして、スパイラルピッチＰが大きくなるほど、鳥類止り防止装置１０の全長が同じであっても線材本体２１の長さが短くなるので、コストを低減させることができる。
【００２１】
コイル２０を構成する線材本体２１は、線状物Ｓの直径Ｄ１よりも十分に細い直径Ｄ３の線状物であり、合成樹脂等の絶縁性を有する材質によって形成されている。また、この線材本体２１は、コイル２０のコイルスプリング形状を保持する強度と、コイル状に捲回された場合に線状物Ｓの軸線Ｏに沿って伸縮する柔軟性とを備えている。
【００２２】
なお、この線材本体２１の直径Ｄ３は鳥類が掴むことが困難な程度に細く形成されており、さらにこの線材本体２１は線状物Ｓに荷重をかけないために軽量化されていることが望ましい。また、この線材本体２１は、鉄やアルミニウムなどの金属等で形成されてもよいが、絶縁性及び腐食の問題から樹脂製であることが好ましい。
【００２３】
一方、固定部材３０は、図２に示すように、コイル２０を線状物Ｓの上側に押さえつける押さえ部材３１と、この押さえ部材３１を線状物Ｓに係止する係止部材３２とを有している。なお、この固定部材３０は絶縁性を有しているほうが望ましい。
【００２４】
押さえ部材３１は断面が線状物Ｓの外径に沿う円弧状を呈しており、線状物Ｓの上側に沿ってスパイラルピッチＰとほぼ同じ長さに形成されている。ここで、押さえ部材３１は断面の円弧の内径が円周の半分より小さい劣弧に形成されて、線状物Ｓの上側に載置された状態に装着されている。そして、押さえ部材３１の長手方向の両端部には、軸線Ｏとほぼ直交する方向に沿って線材本体２１が嵌合する突条部３１ａ、３１ｂが設けられている。
【００２５】
また、係止部材３２は押さえ部材３１の中間部と線状物Ｓとに一体に巻きつけられて、押さえ部材３１を固定する。ここでは、この係止部材３２は、樹脂製のインシュロックやステンレスバンド等であり、絶縁性を有しているものが好ましい。また、ビニールテープや変形自在な針金であってもよい。
【００２６】
次に、この鳥類止り防止装置の作用について説明する。
【００２７】
この鳥類止り防止装置１０を線状物Ｓに装着するには、コイル２０を線状物Ｓの上に載せ、所定間隔をおいて設けられる固定部材３０によってコイル２０を線状物Ｓに固定する。このとき、コイル２０は固定部材３０の押さえ部材３１に設けられた突条部３１ａ、３１ｂに嵌合させられ、この押さえ部材３１に確実に押さえられる。また、押さえ部材３１が線状物Ｓの外径に沿った劣弧に形成されているので、押さえ部材３１が線状物Ｓに密着しやすく、コイル２０をさらに確実に固定することができる。
【００２８】
そして、このように線状物Ｓの上側に装着されたコイル２０によって、線状物Ｓの上側が覆われた状態となる。これにより、鳥類が線状物Ｓ上に飛来して止まろうとしても、直径Ｄ３が十分に細い線材本体２１を掴んで止まることは難しく、鳥類が線状物Ｓに止まることを防止することができる。
【００２９】
また、コイル２０ごと線状物Ｓを掴んで鳥類が止まろうとした場合では、コイル２０の直径Ｄ２が線状物Ｓの直径Ｄ１よりも大きいため、大型の鳥類でないと難しくなっている。そして、例え大型の鳥類がコイル２０ごと線状物Ｓを掴んだとしても、コイル２０のスパイラルピッチＰの間に足が挟まったり、コイル２０が伸縮したりして掴みにくく、鳥類が容易に止まることを防止できる。
【００３０】
さらに、それでも線状物Ｓに大型、小型を問わず鳥類が止まった場合は、線状物Ｓとコイル２０との固定部分が少ないため、線状物Ｓからコイル２０が離れて自由な動きができる部分が生じ、コイル２０が容易に撓んだり線状物Ｓの上側からずれたりすることができる。そして、この線状物Ｓに止った鳥類は体重バランスを保てずすぐに飛び去ってしまう。
【００３１】
また、この鳥類止り防止装置はコイル状に捲回された線材本体のみで構成され、非常に簡易な構造であると共に、容易に装着することができる。
【００３２】
さらに、コイル２０が線状物Ｓの軸線Ｏに沿って伸縮可能にされているので、線状物Ｓが撓んだり、曲がったりした場合であっても、線状物Ｓの動きに連動してコイル２０が変形することが可能となっている。
【００３３】
そして、コイル２０の取り付け箇所が所定間隔をおいて複数箇所あるので、コイル２０の全長が線状物Ｓに固定されておらず、線状物Ｓから離れて自由な動きができる部分が生じ、さらにコイル２０を線状物Ｓの動きに連動させやすくなる。
【００３４】
また、コイル２０が絶縁性を有する材質によって形成されると共に、線材本体２１がコイル状に捲回されてコイル２０の実長が長く取れるので絶縁耐力が優れている。そのため、線状物Ｓが万一破断して垂れ下がり、高圧送配電線等の電流が流れるものにかかっても、短絡や漏電することがない。
【００３５】
なお、この鳥類止り防止装置１０のコイル２０は、線状物Ｓの直径Ｄ１よりも十分に細い直径Ｄ２の線材本体２１で構成されているので、遠方から見た場合線状物Ｓと見分けが付きにくく、線状物Ｓの周辺の景観を損ねるおそれはない。しかし、鳥類には線状物Ｓにコイル２０が取り付けられた状態が異常に見えるので、鳥類を近寄りにくくすることができる。
【００３６】
そして、鳥類の近寄りを防止するだけでなく、ムササビ等が被覆された電線をかじるような被害も防ぐことができる。
【００３７】
また、上述の実施の形態では、被取付部材として曲がったり、撓んだりする送配電線等の線状物Ｓに鳥類止り防止装置を取り付けた場合を説明したが、被取付部材は、線状物Ｓだけに限られない。この被取付部材は、例えば、電柱に設けられた腕金や鉄塔等の構造物、ベランダの手摺等の変形しないものであってもよい。この場合であっても、コイル２０は自在に曲がるので複雑な形状の構造物等に沿って容易に取り付けることができる。
【００３８】
さらに、必要に応じて容易に取り外し、また再度取り付けることが可能である。
【００３９】
そして、図３に示すように、鳥類の近寄りを防止することができる光反射装置１００と共に被取付部材である腕金１１０に取り付けた場合では、鳥類が被取付部材１１０に近寄ることも止ることもできず、より効果的に鳥害を防止することができる。
【００４０】
さらに、図４に示すように使用しても良い。この場合、被取付部材であるベランダの手摺１２０にまず布団１２１を干し、この布団１２１上を跨ぐようにコイル２０を引き伸ばしてから、コイル２０の両端を係止部材３２で手摺１２０に固定する。
【００４１】
そして、布団１２１を取り込む際には、コイル２０の両端の係止部材３２を手摺１２０から外してから布団１２１を取り込む。
【００４２】
必要な場合にのみ使用することができるので邪魔にならず、さらに外観を損なうことが防止できる。
【００４３】
さらに、一対のコイル２０を並列に並べて利用しても良い。並列にすることで被取付部材の上面が広くても、そのほぼ全面にコイル２０が被せることでき、鳥類が止ることを確実に防止できる。
【００４４】
また、この鳥類止り防止装置１０は、線材本体２１の伸縮によってコイル２０の長さ調節が自由にでき、被取付部材の所望の部分のみに容易に取り付けることができる。
【００４５】
【発明の効果】
以上説明してきたとおり、この発明によれば、構造が簡易で容易に装着することができると共に、被取付部材が動いた際に、その動きに連動することができる鳥類止り防止装置を提供することができる。
【図面の簡単な説明】
【図１】この発明に係る鳥類止り防止装置を示した斜視図である。
【図２】図１に示す鳥類止り防止装置の一部破断側面である。
【図３】この発明に係る鳥類止り防止装置の第２の使用例である。
【図４】この発明に係る鳥類止り防止装置の第３の使用例である。
【図５】（ａ）従来の鳥類止り防止装置の一例を示す斜視図である。
（ｂ）従来の鳥類止り防止装置の他の例を示す斜視図である。
【符号の説明】
１０        鳥類止り防止装置
２０        コイル
２１        線材本体
３０        固定部材
Ｓ          線状物（被取付部材）
Ｄ１        直径（幅）
Ｄ２        コイルの直径
Ｄ３        線材本体の直径
【図１】
2004173639.tif 000003
【図２】
2004173639.tif 000004
【図３】
2004173639.tif 000005
【図４】
2004173639.tif 000006
【図５】
2004173639.tif 000007